(57)【要約】【課題】両面の印刷用紙と片面の印刷用紙を切替えて使用するプリンタにおける用紙切替の際の用紙切替時間を少なくするプリンタ装置を提供するものである。【解決手段】第１の面および第１の面の裏面である第２の面の双方に印字面を有する第１の用紙を搬送する用紙搬送路と、第１の面に対して印字をおこなう第１の印字部と、第１の印字部の用紙搬送方向下流側に設けられ、第２の面に印字をおこなう第２の印字部と、前記第１の印字部と前記第２の印字部との間で搬送路に合流する、第１の面および第１の面の裏面である第２の面のいずれか一方の面に印字面を有する第２の用紙を搬送する第２の用紙搬送路とをプリンタ装置に設けた。【選択図】図１
2014213475.tif 000002
【特許請求の範囲】
【請求項１】
第１の面および第１の面の裏面である第２の面の双方に印字面を有する第１の用紙を搬送する第１の用紙搬送路と、
前記第１の面に対して印字をおこなう第１の印字部と、
前記第１の印字部の用紙搬送方向下流側に設けられ、前記第２の面に印字をおこなう第２の印字部と、
前記第１の印字部と前記第２の印字部との間で前記第１の用紙搬送路に合流する、第１の面および第１の面の裏面である第２の面のいずれか一方の面に印字面を有する第２の用紙を搬送する第２の用紙搬送路と、
前記第１の用紙搬送路と、前記第２の用紙搬送路の合流位置より用紙搬送方向下流側にあり、前記第１の用紙と前記第２の用紙の何れか一方の印字の際には他方の用紙は退避する前記第１の用紙と前記第２の用紙の共用の搬送路と、
を有するプリンタ装置。
【請求項２】
前記第２の印字部における前記第１の用紙の搬送速度は前記第１の印字部における前記第２の用紙の搬送速度より高速である請求項１に記載のプリンタ装置。
【請求項３】
前記第２の用紙搬送路に供給される前記第２の用紙を装填する装填位置は、前記第１の用紙搬送路に供給される前記第１の用紙を装填する装填位置よりプリンタ装置の上方である請求項１に記載のプリンタ装置。
【発明の詳細な説明】
【技術分野】
【０００１】
本発明の実施態様は、用紙に印字をおこない発行するプリンタ装置に関する。
【背景技術】
【０００２】
レシート等の発行装置として用いられるプリンタ装置では、ロール状に巻回された用紙から引き出された長尺状の用紙に所定事項を印刷した後、所定長の長さの紙片に切断して排出を行っている。
【０００３】
これらプリンタ装置は、用紙の使用量の削減を目的として、用紙の表面と裏面の両方に印字を行う両面サーマルプリンタが知られている。
【０００４】
両面サーマルプリンタに使用される用紙は、用紙の表面、裏面の何れにも、加熱することで発色する感熱層を有しているが、この両面サーマルプリンタ用の用紙である両面サーマル用紙は、片面のみ感熱層を有している片面サーマル用紙より高価である。
【０００５】
高価であるため、両面サーマルプリンタ用紙に片面のみ印字をおこなうのでは経済的な面で好ましくない。しかしながら印字の都度両面サーマル用紙と片面サーマル用紙とを載せ替えているのでは手間がかかるので、一台のプリンタに両面サーマル用紙、片面サーマル用紙の双方を装填することも考えられている。また両面サーマル用紙に片面の印字を行なわないように用紙の種別を検知することも知られている。
【０００６】
一台のプリンタ装置に両面サーマル用紙、片面サーマル用紙の双方を装填した場合でも、一方の用紙に対して印字をおこなっている場合は、印字をおこなっていない他方の用紙は搬送路から退避させる必要があり、頻繁に両面サーマル用紙と片面サーマル用紙を切り替えて使う場合、その退避に時間がかかりプリンタの印字速度が低下する、という問題がある。
【先行技術文献】
【特許文献】
【０００７】
【特許文献１】特開２０１０−６４２７２号公報
【発明の概要】
【発明が解決しようとする課題】
【０００８】
本発明が解決しようとする課題は、両面の印刷用紙と片面の印刷用紙を切替えて使用するプリンタにおける用紙切替の際の用紙切替時間を少なくするプリンタ装置を提供することである。
【課題を解決するための手段】
【０００９】
上記課題を解決するために、第１の面および第１の面の裏面である第２の面の双方に印字面を有する第１の用紙を搬送する用紙搬送路と、第１の面に対して印字をおこなう第１の印字部と、第１の印字部の用紙搬送方向下流側に設けられ、第２の面に印字をおこなう第２の印字部と、前記第１の印字部と前記第２の印字部との間で搬送路に合流する、第１の面および第１の面の裏面である第２の面のいずれか一方の面に印字面を有する第２の用紙を搬送する第２の用紙搬送路とをプリンタ装置に設けた。
【図面の簡単な説明】
【００１０】
【図１】本実施形態に係るプリンタ装置の要部構成図。
【図２】本実施形態に係るプリンタ装置の制御ブロック図。
【図３】本実施形態に係るプリンタ装置の印字方法を示す流れ図。
【図４】本実施形態に係るプリンタ装置と従来のプリンタ装置の用紙合流位置を示す構造図。
【発明を実施するための形態】
【００１１】
（第１の実施形態）
以下に、第１の実施形態にかかるプリンタ装置を、図面を参照して詳細に説明する。
【００１２】
図１は第１の実施形態に係るプリンタ装置の要部を示す構成図である。なお、このプリンタでは、図の右側から左側に向けて用紙が搬送されるので、以下の説明においては、図中右側を上流側、左側を下流側とする。
【００１３】
また、切断後の用紙の先頭位置合わせ等により用紙は印字の際の搬送方向と逆に搬送される場合があるが、本実施形態における上流下流とは用紙に対して印字をおこなう際の用紙の搬送方向で上流下流を定義する。
【００１４】
図中符号２は巻軸Ａ３に巻回されたロール状の用紙Ａである。巻軸Ａ３はプリンタ装置１の図示しないフレームに対して回転自在に支持されており、用紙Ａ２をプリンタ装置１に装填している。また用紙Ａ２は用紙面Ａ５と、用紙面Ａ５と反対の面である用紙面Ｂ６を有しており、用紙面Ａ５、用紙面Ｂ６のいずれも加熱をすると発色する感熱層を有している。
【００１５】
用紙Ａ２の下流側にはアイドラローラＡ４が回転自在に支持されている。
【００１６】
また、プリンタ装置１には、印字された用紙をプリンタ装置１の外部へと排出する用紙排出口２０が設けられており、アイドラローラＡ４から用紙排出口２０まで用紙を搬送する用紙搬送路Ａ７が設けられている。
【００１７】
アイドラローラＡ４の下流側には、図示しないモータによって回転可能とされた複数のフィードローラＡ８と、このフィードローラＡ８に対して用紙搬送路Ａ７を挟んで複数のアイドラローラＢ９が設けられている。
【００１８】
また、アイドラローラＡ４の下流側には、第１サーマル印字ヘッド１０と、この第１サーマル印字ヘッド１０に対して用紙搬送路Ａ７を挟んで、図示しないモータによって回転可能とされた第１プラテンローラ１１が設けられている。これら第１サーマル印字ヘッド１０、第１プラテンローラ１１にて第１印字部１２を構成しており、第１印字部１２にて用紙Ａ２の用紙面Ａ５に印字をおこなう。
【００１９】
第１印字部１２の下流側には、第２サーマル印字ヘッド１４と、この第２サーマル印字ヘッド１４に対して用紙搬送路Ａ７を挟んで、図示しないモータによって回転可能とされた第２プラテンローラ１５が設けられている。これら第２サーマル印字ヘッド１４、第２プラテンローラ１５にて第２印字部１６を構成しており、第２印字部１６にて用紙Ａ２の用紙面Ｂ６に印字をおこなう。
【００２０】
第２印字部１６の下流側にはカッタ１７が配置されている。カッタ１７は、何れも図示しない固定刃と可動刃とを有しており、カッタ１７に設けられている図示しないスリットに挿入されてきた用紙Ａ２および、後述する用紙Ｂ２１を、固定刃に向け可動刃を図示しないカッタモータの駆動によりスライド移動させることで切断する。
【００２１】
ここでカッタ１７は固定刃に向け可動刃がスライド移動するいわゆるスライド式カッタで説明したがこれに限定されるものではなく、固定刃に対し可動刃が回転することで用紙を切断するいわゆるロータリー式カッタであってもよい。
【００２２】
カッタ１７の下流側には、図示しないモータによって回転可能とされたフィードローラＣ１８と、このフィードローラＣ１８に対して用紙搬送路Ａ７を挟んでアイドラローラＣ１９が対向配置されている。またプリンタ装置１はフィードローラＣ１８の下流側に用紙排出口２０を有しており、印字が終了しカッタ１７にて切断された用紙Ａ２および、後述する用紙Ｂ２１を、用紙排出口２０よりプリンタ装置１の外部に排出する。
【００２３】
またプリンタ装置１には、用紙Ａ２とは異なる、巻回されたロール状の用紙である用紙Ｂ２１が装填可能となっている。
【００２４】
用紙Ｂ２１は、プリンタ装置１に回転自在に支持されている巻軸Ｂ２２に巻回されたロール状の用紙である。巻軸Ｂ２２はプリンタ装置１の図示しないフレームに対して回転自在に支持されており、用紙Ｂ２１をプリンタ装置１に装填している。また、用紙Ｂ２１は、プリンタ装置１において、用紙Ａ２の上方の位置に装填されている。
【００２５】
用紙Ｂ２１は、用紙面Ｃ２４と、用紙面Ｃ２４と反対の面である用紙面Ｄ２５を有しており、用紙面Ｄ２５側のみ加熱をすると発色する感熱層が設けられている。
【００２６】
用紙Ｂ２１の下流側にはアイドラローラＤ２３が回転自在に支持されている。
【００２７】
また、アイドラローラＤ２３から、第１印字部１２と第２印字部１６の間の用紙搬送路Ａ７まで連通する、用紙Ｂ２１を搬送する用紙搬送路Ｂ２６が設けられており、用紙搬送路Ｂ２６は第１印字部１２と第２印字部１６の間にて用紙搬送路Ａ７に合流する。
【００２８】
アイドラローラＤ２３の下流側には、図示しないモータによって回転可能とされた複数のフィードローラＢ２７と、このフィードローラＢ２７に対して用紙搬送路Ｂ２６を挟んで複数のアイドラローラＤ２８が設けられている。
【００２９】
用紙搬送路Ａ７における第１印字部１２の上流側近傍には用紙センサＡ１３が、用紙搬送路Ｂ２６における第２印字部１６の上流側近傍には用紙センサＢ２９がそれぞれ設けられている。用紙センサＡ１３および用紙センサＢ２９は、用紙Ａ２や用紙Ｂ２１の用紙先端を検知し、その検知信号より第１サーマル印字ヘッド１０や第２サーマル印字ヘッド１４の発熱のタイミングを決定したり、用紙Ａ２と用紙Ｂ２１が同時に共用の用紙搬送路部分に挿入されない様に、一方の用紙に印字をおこなう際には、他方の用紙は共用の用紙搬送路部分より退避しているかを確認したりするのに用いる。
【００３０】
プリンタ装置１には表示部３０が設けられており、プリンタ装置１のエラー状況を含めた各種状態を表示する。
【００３１】
図２に、本実施形態に係るプリンタ装置１の制御回路構成を説明するブロック図を示す。この制御部５０は、用紙搬送、印字、用紙切断、用紙排出およびプリンタの状況表示の各制御をおこなう。
【００３２】
制御部５０は、ホストコンピュータ５１との連係および各種の制御の実行をおこなう、例えば、マイクロコンピュータで構成されている。制御部５０の中央処理装置（ＭＰＵ）５２は、プログラムに従って、用紙搬送制御、印字制御、用紙切断制御、用紙排出制御等の各種の制御や演算をおこなう。
【００３３】
またこのＭＰＵ５２は、時間設定および時間制御をおこなう手段としてタイマ５３を備えている。
【００３４】
制御部５０には、ＭＰＵ５２で実行する制御プログラムや制御または演算途上のデータ等を格納する主記憶手段としてＲＯＭ５４およびＲＡＭ５５が設置されている。
【００３５】
ＲＯＭ５４は制御プログラムやテーブル等を持つ読出し専用メモリであり、ＲＡＭ５５は演算途上のデータ等を格納する随時書込みメモリである。
【００３６】
ＲＡＭ５５には、用紙Ａ２に印字をおこなう際に、ホストコンピュータ５１からの印字データを、用紙面Ａ５に印字するデータと用紙面Ｂ６に印字するデータとに分けてそれぞれ保管する用紙面Ａ用データ保管部６６と用紙面Ｂ用データ保管部６７とが設けられている。また同じくＲＡＭ５５には、用紙Ｂ２１に印字をおこなう際にホストコンピュータ５１からの印字データを保管する用紙面Ｄ用データ保管部６８が設けられている。
【００３７】
制御部５０には、ホストコンピュータ５１からの各種の入力データの取込みや、ホストコンピュータ５１への制御部５０の制御出力の取出しをおこなう入出力ユニット（Ｉ／Ｏ）５６が設けられている。このＩ／Ｏ５６は、ＭＰＵ５２、ＲＯＭ５４およびＲＡＭ５５とをバスを通じて接続されている。
【００３８】
Ｉ／Ｏ５６には制御出力を取り出すための手段として、第１、第２、第３、第４、第５、第６、第７、第８および第９のドライバ５７、５８、５９、６０、６１、６２、６３、６４、６５が接続されている。
【００３９】
第１のドライバ５７は第１印字部１２へ必要な駆動出力を供給する。第２のドライバ５８は第２印字部１６へ必要な駆動出力を供給する。第３のドライバ５９はフィードローラＡ８への駆動出力を供給する。第４のドライバ６０はフィードローラＢ２７への駆動出力を供給する。第５のドライバ６１はフィードローラＣ１８への駆動出力を供給する。第６のドライバ６２はカッタ１７への駆動出力を供給する。第７のドライバ６３は用紙センサＡ１３への駆動信号を供給する。第８のドライバ６４は用紙センサＢ２９への駆動信号を供給する。第９のドライバ６５は表示部３０に各種表示を行わせる表示駆動出力を供給する。
【００４０】
用紙Ａ２に対して第１印字部１２および第２印字部１６を用いて印字をおこなう際、第１プラテンローラ１１は、ＭＰＵ５２の印字指令手段としての制御出力に基づき、モータにより印字動作と同期して回転駆動される。第１サーマル印字ヘッド１０は、ホストコンピュータ５１からの印字データに基づいてＭＰＵ５２にて作成され用紙面Ａ用データ保管部６６に保管されている用紙面Ａ用データに基づいて、用紙Ａ２の用紙面Ａ５に印字をおこなう。また第２プラテンローラ１５は、ＭＰＵ５２の印字指令手段としての制御出力に基づき、図示しないモータにより印字動作と同期して回転駆動される。第２サーマル印字ヘッド１４は、ＭＰＵ５２にて作成され用紙面Ｂ用データ保管部６７に保管されている用紙面Ｂ用の印字データに基づいて用紙Ａ２の用紙面Ｂ６に印字をおこなう。
【００４１】
用紙Ｂ２１に対して印字をおこなう際、第２プラテンローラ１５は、ＭＰＵ５２の印字指令手段としての制御出力に基づき、モータにより印字動作と同期して回転駆動される。第２サーマル印字ヘッド１４は、ＭＰＵ５２にて作成され用紙面Ｄ用データ保管部６８に保管されている用紙面Ｄ用データに基づいて、用紙Ｂ２１の用紙面Ｄ２５に印字をおこなう。
【００４２】
制御部５０のＭＰＵ５２は、ドライバ５９を介して、フィードローラＡ８の回転及び停止駆動をおこなう。
【００４３】
制御部５０のＭＰＵ５２は、ドライバ６０を介して、フィードローラＢ２７の回転及び停止駆動をおこなう。
【００４４】
制御部５０のＭＰＵ５２は、ドライバ６１を介して、フィードローラＣ１８の回転及び停止駆動をおこなう。
【００４５】
制御部５０のＭＰＵ５２は、ドライバ６２を介して、カッタ１７を駆動させ、用紙Ａ２もしくは用紙Ｂ２１を切断する。
【００４６】
制御部５０のＭＰＵ５２は、ドライバ６３を介して、用紙センサＡ１３を駆動させ、用紙センサＡ１３の検知信号を受信する。
【００４７】
制御部５０のＭＰＵ５２は、ドライバ６４を介して、用紙センサＢ２９を駆動させ、用紙センサＢ２９の検知信号を受信する。
【００４８】
制御部５０のＭＰＵ５２は、ドライバ６５を介して、表示部３０に、プリンタ装置１の各種情報、エラー等を表示する。
【００４９】
以下に、プリンタ装置１の動作を、図１および図３を用いて説明する。制御部５０はＲＯＭ５４に記憶されているプログラムに従って用紙搬送ならびに印字動作をおこなう。
【００５０】
ユーザは、まず、用紙Ａ２を引き出し、アイドラローラＡ４を経由後、その先端をフィードローラＡ８とアイドラローラＢ９の間に位置するようにセットする。また用紙Ｂ２１を引き出し、アイドラローラＤ２３を経由後、その先端をフィードローラＢ２７とアイドラローラＤ２８の間に位置するようにセットする。
【００５１】
この状態で、ホストコンピュータ５１からの印字データを受信すると（Ｓ１）、制御部５０はまず受信した印字データが用紙の両面に印字をおこなう両面印字データであるかを判断する（Ｓ２）。ここで両面印字データであると判断した場合（Ｓ２のＹ）、制御部５０は、受信した印字データを、用紙面Ａ５に印字するデータと用紙面Ｂ６に印字するデータとに分け、それぞれのデータを用紙面Ａ用データ保管部６６と用紙面Ｂ用データ保管部６７に保管する（Ｓ３）。
【００５２】
次に制御部５０は、第１印字部１２を駆動させ、第１サーマル印字ヘッド１０と第１プラテンローラ１１との協働にて用紙面Ａ用データ保管部６６に保管されている印字データを用紙Ａ２の用紙面Ａ５に印字する（Ｓ４）。
【００５３】
次に制御部５０は、第２印字部１６を駆動させ、第２サーマル印字ヘッド１４と第２プラテンローラ１５との協働にて用紙面Ｂ用データ保管部６７に保管されている印字データを用紙Ａ２の用紙面Ｂ６に印字する（Ｓ５）。
【００５４】
なお本実施の形態では第１印字部１２を駆動させた後に第２印字部１６を駆動させると記載した。しかしながら必ず第１印字部１２を駆動させた後に第２印字部１６が駆動するものではなく、例えば用紙Ａ２の用紙面Ａ５への印字と同時に用紙Ａ２の用紙面Ｂ６への印字を実施する場合もある。また用紙面Ａ５の用紙上端側に空白が存在している場合は、用紙Ａ２の用紙面Ａと用紙面Ｂ６の両方の面に印字をおこなう場合でも、第２印字部１６が第１印字部１２より先に駆動する場合も発生する。
【００５５】
第１印字部１２および第２印字部１６での用紙Ａ２への印字が完了すると、用紙Ａ２は更に下流側に搬送され、その後カッタ１７にて切断される（Ｓ６）。その後印字済の用紙Ａ２は、フィードローラＣ１８とアイドラローラＣ１９の協働により用紙排出口２０よりプリンタ装置１の外部に排出され印字は終了する（Ｓ７）。
【００５６】
ホストコンピュータ５１から受信した印字データが両面印字データでないと判断した場合（Ｓ２のＮ）、制御部５０は、受信した印字データをＲＡＭ５５の用紙面Ｄ用データ保管部６８に保管する（Ｓ８）。
【００５７】
次に制御部５０は、第２印字部１６を駆動させ、第２サーマル印字ヘッド１４と第２プラテンローラ１５との協働にて用紙面Ｄ用データ保管部６８に保管されている印字データを用紙面Ｄ２５に印字する（Ｓ９）。
【００５８】
第２印字部１６での用紙Ｂ２１への印字が完了すると、用紙Ｂ２１は更に下流側に搬送され、その後カッタ１７にて切断される（Ｓ１０）。その後印字済の用紙Ｂ２１は、フィードローラＣ１８とアイドラローラＣ１９の協働により用紙排出口２０よりプリンタ装置１の外部に排出され印字は終了する（Ｓ１１）。
【００５９】
プリンタ装置１にて印字をおこなう際、用紙Ａ２と用紙Ｂ２１を頻繁に切替えて印字を出力する場合がある。この切替の時間中はプリンタ装置１は印字をおこなっていないため、この時間を短縮することがプリンタ装置１の高速化につながることとなる。
【００６０】
図４に、本実施形態における用紙搬送路Ａ７、第１印字部１２、第２印字部１６と用紙搬送路Ｂ２６の位置関係を示す。なお図４においては、フィードローラやアイドラローラに関しては記載は省略してある。また従来との比較の為、従来の搬送路Ｂを２６’として記載する。
【００６１】
図４において、Ｘは、カッタ１７での用紙Ａ２もしくは用紙Ｂ２１の切断位置を示す。またＡ点は本実施の形態における、用紙搬送路Ａ７に対して用紙搬送路Ｂ２６が合流する位置を示しており、このＡ点は第１印字部１２と第２印字部１６の間に位置している。Ｂ点は、従来の場合における、用紙搬送路Ａ７に対して搬送路Ｂ２６’が合流する位置を示しており、このＢ点は第１印字部１２と第２印字部１６の間に位置しておらず、第１印字部１２の上流側に位置している。
【００６２】
ここで、用紙Ａ２から用紙Ｂ２１へ切り替える場合を説明する。本実施の形態においてはＡ点より下流側は用紙Ａ２への印字と用紙Ｂ２１への印字での共用の搬送路である。共用の搬送路であるので、一方の用紙に対して印字をおこなっている場合には、印字をおこなっていない他方の用紙は、共用の用紙搬送路部分より退避させる必要がある。
【００６３】
所定の印字後に、カッタ１７にて切断された用紙Ａ２を用紙Ｂ２１に切替るには、本実施の形態においては、用紙Ａ２の用紙の先端はＡ点より上流側に存在しなければならない。従って用紙Ａ２はＸからＡ点までの距離を逆走する必要があり、その後用紙Ｂ２１が共有の搬送路を搬送する。
【００６４】
従来においては用紙Ａ２の用紙の先端はＢ点より上流側に存在しなければならない。従って用紙Ａ２はＸからＢ点までの距離を逆走する必要があり、その後用紙Ｂ２１が共有の搬送路を搬送する。
【００６５】
ここで切り替えの為に用紙Ａ２が逆走した距離をみると、本実施の形態はＸとＡ点間分の距離であり、従来はＸとＢ点間分の距離である。この様に従来の場合の方がＡ点とＢ点の間分の距離だけ長く逆走させなければ切り替えがおこなえない。距離が長いことで切り替え時間も長くなり結果として、プリンタ装置１の印字時間も長くなる。
【００６６】
なお用紙Ｂ２１から用紙Ａ２に切り替える場合においても、従来の場合の方がＡ点とＢ点の間分の距離だけ長く逆走させなければ切り替えがおこなえない。
【００６７】
以上の様に、両面に感熱層を有している用紙Ａ２と、用紙の片面にのみ感熱層を有している用紙Ｂ２１を切り替えて使用するプリンタ装置１において、第１印字部１２と第２印字部１６との間にて用紙Ａ２の用紙搬送路Ａ７と用紙Ｂ２１の用紙搬送路Ｂ２６とを合流させることで、プリンタ装置１の切替時間を短縮することが可能となる。
【００６８】
（第２の実施形態）
以下に、本実施形態に係る第２の実施形態のプリンタ装置１を、図面を参照して詳細に説明する。なお第１の実施形態と同じ構成部分においては同一符号を付し、その詳細な説明を省略する。
【００６９】
第２の実施形態は、プリンタ装置１における第１の印字部１２と第２の印字部１６において、第２の印字部１６での用紙搬送速度を、第１の印字部１２での用紙搬送速度より早くするというものである。
【００７０】
プリンタ装置１に用いられるモータであるが、高速回転可能なモータの方が低速回転のモータより高額であることが多い。プリンタ装置１を高速化にする場合、全てのモータを高速なモータに変更すればプリンタ装置１の印字速度は向上する。しかしながら、その分プリンタ自体が高額となってしまう。従って全てのモータを高速なモータに変更するのではなく一部のモータを高速なモータにすることで高速化に寄与するのであれば、一部のモータのみのモータの変更が望ましい。
【００７１】
第１の実施形態の際に説明した様に、用紙Ａ２から用紙Ｂ２１への切り替える場合、第１印字部１２と第２印字部１６との間にて用紙Ａ２の搬送路と用紙Ｂ２１の搬送路とを合流させる第１の実施形態での用紙Ａ２の用紙切り替えの為の逆走距離は、図４におけるＸとＡ点間分の距離である。また第１印字部１２の上流側にて用紙Ｂ２１の用紙搬送路Ｂ２６’とを合流させる従来の場合における用紙Ａ２の用紙切り替えの為の逆走距離は図４のＸとＢ点間分の距離である。この様に第１印字部１２の上流側にて用紙Ｂ２１の用紙搬送路Ｂ２６’とを合流させる従来の場合の方がＡ点とＢ点分の距離だけ長く逆走させなければ切り替えがおこなえない。
【００７２】
ここで第２印字部１６を第１印字部１２より高速にすべく、第２印字部１６のモータを変更した場合、ＸからＡ点分の距離だけ逆走がより早くなる。しかしながら第１印字部１２の上流側にて用紙Ｂ２１の用紙搬送路Ｂ２６’とを合流させる従来の場合における用紙Ａ２の用紙切替の為の逆走距離はＸ点からＢ点分の距離であるが、第２印字部１６のみ高速にしても第１印字部１２は高速となっていない。従って第２印字部１６と第１印字部１２の間で用紙が弛むこととなり紙詰まり等の不具合が発生する。これを防ぐには第１印字部１２も高速にする必要があり、前述の様にプリンタ装置１が高額となってしまう。
【００７３】
前述の様に用紙面Ａ５に対して印字をおこなう第１印字部１２と用紙面Ｂ６に対して印字をおこなう第２印字部１６との間にて用紙Ａ２の用紙搬送路Ａ７と用紙Ｂ２１の用紙搬送路Ｂ２６とを合流させる場合の方が、第１印字部１２の上流側にて用紙Ａ２の用紙搬送路Ａ７と用紙Ｂ２１の用紙搬送路Ｂ２６’とを合流させる場合より第２印字部１６のみを高速するのみでプリンタ装置１が高速化が可能となるので、印字時間についてもこの位置関係の場合の方が望ましい。
【００７４】
巻回されたロール状の用紙である用紙Ｂ２１に印字をおこなう際、第２印字部１６を高速化させると、印字する際の時間短縮および印字後の切替の際の逆走の際の時間短縮となる。印字する用紙がロール状の用紙でなくカットされた用紙の場合、用紙に対して印字をおこなう第１印字部１２と第２印字部１６との間にて両面の用紙の搬送路と片面の用紙の搬送路とを合流させる場合の方がよりその差が明確となる。
【００７５】
また第１の実施形態および第２の実施形態において、用紙Ａ２の上方に用紙Ｂ２１を装填した。
【００７６】
プリンタ装置１に用紙を装填する場合、プリンタ装置１の図示しないカバーを上方に開放しそこから装填する場合が多い。用紙を複数種上下方向に装填する場合、用紙の保持部を用紙搬送方向前後にずらさなければ上方の用紙を取り外すことなく下方の用紙を装填することが出来ない。しかしながら用紙の保持部を用紙搬送方向前後にずらすとプリンタ装置１が大きくなってしまう。この為用紙の保持部を用紙搬送方向前後にずらさない場合は、上方に保持する用紙の方が下方に保持する用紙より交換頻度が多いもしくは使用頻度が多く新規装填頻度が多い用紙とする必要がある。
【００７７】
プリンタ装置１は、物品購入の際のレシートを出力するプリンタとして使用される場合が多い。レシートを出力する場合、レシートの長さを短くする目的で用紙の両面に印字をする場合と、レシートの裏面に広告や割引クーポンを印字するといった目的で裏面を活用する場合がある。
【００７８】
用紙の裏面を広告や割引クーポンとして使用する場合、両面に感熱層を有している用紙は高額の為、予め裏面に広告や割引クーポンを印刷した片面サーマル用紙を用いる場合が多い。
【００７９】
広告や割引クーポンは有効期限が存在する場合が多く、その有効期限までにレシートとして使用が完了しなかった場合、この予め裏面に広告や割引クーポンを印刷した片面サーマル用紙は交換をしなければならない。しかしながら両面に感熱層を有している用紙は、裏面に広告や割引クーポンを印刷する場合においてもホストコンピュータ５１からの裏面印字データを変えるのみであり、用紙が残っているにもかかわらず用紙自体を交換する必要はない。このことからも片面の用紙の方が両面の用紙の用紙に比べ交換頻度が多い。よって両面の用紙の保持部の上方に片面の用紙の保持部を設けることは用紙の装填からも重要である。
【００８０】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更をおこなうことができる。これらの実施形態やその変形は、発明の範囲や要旨に含まれると共に、特許請求の範囲に記載された発明とその均等の範囲に含まれる。
【符号の説明】
【００８１】
１：プリンタ装置
２：用紙Ａ
５：用紙面Ａ
６：用紙面Ｂ
７：用紙搬送路Ａ
１２：第１印字部
１６：第２印字部
１７：カッタ
２１：用紙Ｂ
２４：用紙面Ｃ
２５：用紙面Ｄ
２６：用紙搬送路Ｂ
【図１】
2014213475.tif 000003
【図２】
2014213475.tif 000004
【図３】
2014213475.tif 000005
【図４】
2014213475.tif 000006